(57)【要約】【課題】  伸縮門扉の縦枠を、連結下桟による簡易且つ確実な連結を可能とし且つ中空縦桟の捩れを含めて優れた連結強度を確保し得るように連結する。【解決手段】  中空縦桟２と連結下桟３の連結を、中空縦桟２の溝開口端部一対の突条２１に形成した切欠孔２２に対して、連結下桟３の前後正面側に突出した引掛係止片３３を係止し、連結下桟３に配置した中空縦桟下端を載置する載置閉塞板３４に起立配置した位置決め突起３５を、中空縦桟２の受入溝２４に挿入するとともに連結下桟２の左右一対の縦桟嵌合部３２を、中空縦桟２の上記一対の突条２１と中空縦桟２の中空部内一対のリブ２３間に嵌合保持して、その連結を行なう。中空縦桟に捩れ方向の外力が作用しても、中空縦桟２から連結下桟３が外れる可能性を解消できる。【選択図】  図８
2010255209.tif 000002
【特許請求の範囲】
【請求項１】
断面Ｃ字状にして溝開口を対向して前後平行に配置した一対の中空縦桟の下端を短尺の連結下桟によって連結し、上記溝開口を介して多数の中空縦桟の中空部に伸縮リンクをそれぞれ受入軸支して左右幅方向伸縮自在に連結した伸縮門扉の縦枠であって、上記連結下桟を、中空縦桟の対向面間に介設した中空の連結基部と、該連結基部の前後側面に中空縦桟の溝開口端部一対の突条を受入れる縦溝を介して突設した左右幅方向一対の縦桟嵌合部と、該縦桟嵌合部間の連結基部縦桟対向面に前後突没自在に配置した下向き傾斜の引掛係止片と、上記連結基部の下端から前後に突出した中空縦桟の載置閉塞板と、該載置閉塞板の突出方向先端に起立した位置決め突起を備えて形成し、上記中空縦桟を、上記溝開口端部突条との間に上記連結下桟の縦桟嵌合部を受入区画するようにその中空部内に対向起立した左右一対のリブと、溝開口端部の一対の突条の下端近傍を部分的に切欠いて配置した上記連結下桟の引掛係止片を受入係止する切欠孔を備えて形成し、該中空縦桟の上記溝開口端部一対の突条を連結下桟の上記縦溝に沿ってその縦桟嵌合部を該突条と上記一対のリブ間に圧入嵌合することによって、その溝開口端部一対の突条における切欠孔に連結下桟の上記引掛係止片をそれぞれ弾発的に係止するとともにその載置閉塞板に中空縦桟下端を載置し且つその位置決め突起を中空縦桟の正面壁の内側に位置決め係合してなることを特徴とする伸縮門扉の縦枠。
【請求項２】
上記連結下桟における引掛係止片を、連結基部の前後側面にそれぞれ左右幅方向に一対配置してなることを特徴とする請求項１に記載の伸縮門扉の縦枠。
【請求項３】
上記連結下桟における載置閉塞板に起立した位置決め突起を、該載置閉塞板の突出方向先端コーナー位置に一対配置してなることを特徴とする請求項１又は２に記載の伸縮門扉の縦枠。
【請求項４】
上記連結下桟における載置閉塞板に起立した位置決め突起の起立高さを、上記中空縦桟における溝開口端部の一対の突条に切欠き配置した切欠孔の高さと連結下桟の引掛係止片の高さの寸法差より低く形成してなることを特徴とする請求項１、２又は３に記載の伸縮門扉の縦枠。
【請求項５】
上記中空縦桟の正面壁を、中央を凹陥して左右幅方向両端に上記連結下桟の位置決め突起を受け入れる受入溝を配置してなることを特徴とする請求項１、２、３又は４に記載の伸縮門扉の縦枠。
【請求項６】
上記中空縦桟を、アルミ押出材に切断と切欠加工を施して形成したアルミ製とし且つ上記連結下桟を、合成樹脂を射出成形することによって形成した合成樹脂製としてなることを特徴とする請求項１、２、３、４又は５に記載の伸縮門扉の縦枠。
【発明の詳細な説明】
【技術分野】
【０００１】
本発明は、伸縮門扉に関し、特にその縦枠に関する。
【背景技術】
【０００２】
この種、伸縮門扉の縦枠は、例えば、断面Ｃ字状にして溝開口を対向して前後平行に配置した一対の中空縦桟の下端を短尺の連結下桟によって連結し、上記溝開口を介して多数の中空縦桟の中空部に伸縮リンクをそれぞれ受入軸支して左右幅方向伸縮自在に連結したものが知られており、下記特許文献のものは、上記連結下桟を、縦桟の対向面間に介設した中空の連結基部と、該連結基部の幅方向中間に配置した縦桟の溝開口端部一対の突条を受入れる区画縦溝と、該区画縦溝を介して連結基部を長手方向に区画することによってその前後に配置した該連結基部と同幅同高にして中空縦桟の中空部に密嵌状に嵌合する左右一対の縦桟嵌合部と、上記連結基部と縦桟嵌合部間の縦溝内底壁に左右幅方向に向けて突出した係止突起を備えたものとし、上記中空縦桟を、その溝開口端部の一対の突条の下端近傍を部分的に切欠くことによって上記連結下桟の区画縦溝内の係止突起を受入係止する切欠孔を備えて形成し、該中空縦桟の上記溝開口端部一対の突条を連結下桟の上記区画縦溝に沿って、中空縦桟の溝開口端部一対の突条を左右幅方向に拡開して、上記縦桟嵌合部を中空縦桟の中空部内に圧入嵌合することによって、該中空縦桟の溝開口端部一対の突条における切欠孔に連結下桟の区画溝内底壁の係止突起をそれぞれ弾発的に係止したものとされている。
【先行技術文献】
【特許文献】
【０００３】
【特許文献１】特開平１０−７２９９０号公報
【発明の概要】
【発明が解決しようとする課題】
【０００４】
この場合、中空縦桟の下端に、連結下桟の縦桟嵌合部を嵌合した状態で、その係止孔に連結下桟の係止突起を係止することができ、該連結下桟による中空縦桟の連結に際して、ネジが露出するのを防止して、良好な外観を呈する連結装置とすることができる。
【０００５】
しかし乍ら、中空縦桟と連結下桟は、その左右幅方向の切欠孔と引掛係止片の係止によって連結してあるから、中空縦桟に対して前後捩れ方向の外力が作用した場合、中空縦桟の溝開口端部一対の突条が拡開する可能性、即ち、切欠孔と引掛係止片の係止が解除される可能性が残り、例えば、吊元側のロックピンの外れた状態や落し錠の施錠状態での中空縦桟を手持ちした無理な開閉、伸縮門扉に対する物体の接触等のときのように、縦枠乃至中空縦桟に捩れ力が作用する場合に、中空縦桟の下端を連結した連結下桟が前後一方乃至双方で外れ易いという問題点がある。
【０００６】
また、伸縮門扉における中空縦桟の変形や、連結下桟の破損によって、中空縦桟や連結下桟を交換するメンテナンスを行なう場合のように、連結下桟を中空縦枠から取り外す必要が生じたとき、係止孔と引掛係止片は連結下桟の区画溝内底面で係止しており、区画溝は中空縦枠の肉厚程度とされるから、例えば、工具等を用いて該係止を解除しようとしても、工具を係止部位に挿入することができないために、その作業が煩雑となる傾向が強い一方、中空縦桟や縦枠を捩れば取外しをなし得るとしても、捩りによって中空縦桟下端の無理な拡開に起因する変形の可能性が残るし、施主の目前での捩り作業は施主に不信感を与える結果になるという問題点がある。
【０００７】
本発明はかかる事情に鑑みてなされたもので、その解決課題とするところは、可及的簡易且つ確実な連結を可能とし且つ中空縦桟の捩れを含めて優れた連結強度を確保し得るようにした伸縮門扉の縦枠を提供するにある。
【課題を解決するための手段】
【０００８】
上記課題に沿って、本発明は、中空縦桟と連結下桟の連結を、中空縦桟と連結下桟の対接面において、中空縦桟の溝開口端部一対の突条に形成した切欠孔に対して、連結下桟の前後正面側に突出した引掛係止片を係止し、連結下桟に配置した中空縦桟下端を載置する載置閉塞板に起立配置した位置決め突起を、中空縦桟の中空部に挿入して、その正面壁の内側に係合し、また、連結下桟の左右一対の縦桟嵌合部を、中空縦桟の上記溝開口端部一対の突条と中空縦桟の中空部内一対のリブ間に嵌合保持するようにして、中空縦桟と連結下桟の相対的な位置関係を規制して、中空縦桟に捩れ方向の外力が作用しても、その捩れを抑制するとともに、仮に幾分の捩れが生じても係止孔と引掛係止片の係止に対する影響を抑制して、中空縦桟から連結下桟が外れる可能性を可及的に解消する一方、連結下桟の上記載置閉塞板によって中空縦桟の下端を載置することによって、該中空縦桟下端を閉塞し、中空縦桟の下端切断面の露出を防止し、該切断面露出による危険や外観損傷の可能性を解消するようにしたものであって、即ち、請求項１に記載の発明を、断面Ｃ字状にして溝開口を対向して前後平行に配置した一対の中空縦桟の下端を短尺の連結下桟によって連結し、上記溝開口を介して多数の中空縦桟の中空部に伸縮リンクをそれぞれ受入軸支して左右幅方向伸縮自在に連結した伸縮門扉の縦枠であって、上記連結下桟を、中空縦桟の対向面間に介設した中空の連結基部と、該連結基部の前後側面に中空縦桟の溝開口端部一対の突条を受入れる縦溝を介して突設した左右幅方向一対の縦桟嵌合部と、該縦桟嵌合部間の連結基部縦桟対向面に前後突没自在に配置した下向き傾斜の引掛係止片と、上記連結基部の下端から前後に突出した中空縦桟の載置閉塞板と、該載置閉塞板の突出方向先端に起立した位置決め突起を備えて形成し、上記中空縦桟を、上記溝開口端部突条との間に上記連結下桟の縦桟嵌合部を受入区画するようにその中空部内に対向起立した左右一対のリブと、溝開口端部の一対の突条の下端近傍を部分的に切欠いて配置した上記連結下桟の引掛係止片を受入係止する切欠孔を備えて形成し、該中空縦桟の上記溝開口端部一対の突条を連結下桟の上記縦溝に沿ってその縦桟嵌合部を該突条と上記一対のリブ間に圧入嵌合することによって、その溝開口端部一対の突条における切欠孔に連結下桟の上記引掛係止片をそれぞれ弾発的に係止するとともにその載置閉塞板に中空縦桟下端を載置し且つその位置決め突起を中空縦桟の正面壁の内側に位置決め係合してなることを特徴とする伸縮門扉の縦枠としたものである。
【０００９】
請求項２に記載の発明は、上記に加えて、上記引掛係止片を、連結下桟の左右幅方向に一対配置することによって、その上記弾発的な係止を可及的簡易になし得るようにするとともに該引掛係止片を中空縦桟の各切欠孔にそれぞれ独立して係止して、該係止を安定したものとするように、これを、上記連結下桟における引掛係止片を、連結基部の前後側面にそれぞれ左右幅方向に一対配置してなることを特徴とする請求項１に記載の伸縮門扉の縦枠としたものである。
【００１０】
請求項３に記載の発明は、同じく上記に加えて、上記中空縦桟を載置閉塞する載置閉塞板の位置決め突起を、その先端コーナー位置に一対配置することによって、中空縦桟に対する連結下桟の圧入嵌合に際して確実なガイド機能を発揮して、該圧入嵌合を容易化するとともに中空縦桟に対する連結下桟の連結を確実になし得るものとするように、これを、上記連結下桟における載置閉塞板に起立した位置決め突起を、該載置閉塞板の突出方向先端コーナー位置に一対配置してなることを特徴とする請求項１又は２に記載の伸縮門扉の縦枠としたものである。
【００１１】
請求項４に記載の発明は、同じく上記に加えて、上記位置決め突起の起立高さを、中空縦桟の切欠孔の切欠き高さと引掛係止片の高さの寸法差、即ち、切欠孔と引掛係止片の係止状態における余裕空隙の高さより低く設定し、該位置決め突起と余裕空隙の双方間の高さに寸法差を持たせることによって、連結下桟を中空縦桟からやや降下した状態とするようにして、位置決め突起による中空縦桟下端の保持を解除し、該中空縦桟の切欠孔と連結下桟の引掛係止片の係止を容易に解除し得るようにして、連結下桟の取り外しを簡易且つ確実になし得るものとするように、これを、上記連結下桟における載置閉塞板に起立した位置決め突起の起立高さを、上記中空縦桟における溝開口端部の一対の突条に切欠き配置した切欠孔の高さと連結下桟の引掛係止片の高さの寸法差より低く形成してなることを特徴とする請求項１、２又は３に記載の伸縮門扉の縦枠としたものである。
【００１２】
請求項５に記載の発明は、同じく上記に加えて、上記中空縦桟に対する位置決め突起の位置決め係合を安定且つ確実に行なって、上記中空縦桟に捩れ方向の外力が作用しても、その捩れを確実に抑制し得るものとするように、これを、上記中空縦桟の正面壁を、中央を凹陥して左右幅方向両端に上記連結下桟の位置決め突起を受け入れる受入溝を配置してなることを特徴とする請求項１、２、３又は４に記載の伸縮門扉の縦枠としたものである。
【００１３】
請求項６に記載の発明は、同じく上記に加えて、中空縦桟及び連結下桟を、伸縮門扉の縦枠に好適なものとするように、これを、上記中空縦桟を、アルミ押出材に切断と切欠加工を施して形成したアルミ製とし且つ上記連結下桟を、合成樹脂を射出成形することによって形成した合成樹脂製としてなることを特徴とする請求項１、２、３、４又は５に記載の伸縮門扉の縦枠としたものである。
【００１４】
本発明は、これらをそれぞれ発明の要旨として、上記課題解決の手段としたものである。
【発明の効果】
【００１５】
本発明は以上のとおりに構成したから、請求項１に記載の発明は、中空縦桟と連結下桟の連結を、中空縦桟と連結下桟の対接面において、中空縦桟の溝開口端部一対の突条に形成した切欠孔に対して、連結下桟の前後正面側に突出した引掛係止片を係止し、連結下桟に配置した中空縦桟下端を載置する載置閉塞板に起立配置した位置決め突起を、中空縦桟の中空部に挿入して、その正面壁の内側に係合し、また、連結下桟の左右幅方向一対の縦桟嵌合部を、中空縦桟の上記溝開口端部一対の突条と中空縦桟の中空部内一対のリブ間に嵌合保持するようにして、中空縦桟と連結下桟の相対的な位置関係を規制して、中空縦桟に捩れ方向の外力が作用しても、その捩れを抑制するとともに、仮に幾分の捩れが生じても係止孔と引掛係止片の係止に対する影響を抑制して、中空縦桟から連結下桟が外れる可能性を可及的に解消する一方、連結下桟の上記載置閉塞板によって中空縦桟の下端を載置することによって、該中空縦桟下端を閉塞し、中空縦桟の下端切断面の露出を防止し、該切断面露出による危険や外観損傷の可能性を解消するようにして、可及的簡易且つ確実な連結を可能とし且つ中空縦桟の捩れを含めて優れた連結強度を確保し得るようにした伸縮門扉の縦枠を提供することができる。
【００１６】
請求項２に記載の発明は、上記に加えて、上記引掛係止片を、連結下桟の左右幅方向に一対配置することによって、その上記弾発的な係止を可及的簡易になし得るようにするとともに該引掛係止片を中空縦桟の各切欠孔にそれぞれ独立して係止して、該係止を安定したものとすることができる。
【００１７】
請求項３に記載の発明は、同じく上記に加えて、上記中空縦桟を載置閉塞する載置閉塞板の位置決め突起を、その先端コーナー位置に一対配置することによって、中空縦桟に対する連結下桟の圧入嵌合に際して確実なガイド機能を発揮して、該圧入嵌合を容易化するとともに中空縦桟に対する連結下桟の連結を確実になし得るものとすることができる。
【００１８】
請求項４に記載の発明は、同じく上記に加えて、上記位置決め突起の起立高さを、中空縦桟の切欠孔の切欠き高さと引掛係止片の高さの寸法差、即ち、切欠孔と引掛係止片の係止状態における余裕空隙の高さより低く設定し、該位置決め突起と余裕空隙の双方間の高さに寸法差を持たせることによって、連結下桟を中空縦桟からやや降下した状態とするようにして、位置決め突起による中空縦桟下端の保持を解除し、該中空縦桟の切欠孔と連結下桟の引掛係止片の係止を容易に解除し得るようにして、連結下桟の取り外しを簡易且つ確実になし得るものとすることができる。
【００１９】
請求項５に記載の発明は、同じく上記に加えて、上記中空縦桟に対する位置決め突起の位置決め係合を安定且つ確実に行なって、上記中空縦桟に捩れ方向の外力が作用しても、その捩れを確実に抑制し得るものとすることができる。
【００２０】
請求項６に記載の発明は、同じく上記に加えて、中空縦桟及び連結下桟を、伸縮門扉の縦枠に好適なものとすることができる。
【図面の簡単な説明】
【００２１】
【図１】伸縮門扉の正面図である。
【図２】中空縦桟と連結下桟の関係を示す、縦桟嵌合部を除いた部分切欠き斜視図である。
【図３】中空縦桟と連結下桟の連結途中の状態を示す、縦桟嵌合部を除いた部分切欠き斜視図である。
【図４】中空縦桟と連結下桟の連結状態を示す、縦桟嵌合部を除いた部分切欠き斜視図である。
【図５】中空縦桟の横断面図である。
【図６】連結下桟の斜視図である。
【図７】中空縦桟と連結下桟の正面側における連結状態を示す縦断面図である。
【図８】中空縦桟と連結下桟の側面側における連結状態を示す縦断面図である。
【発明を実施するための形態】
【００２２】
以下図面の例に従って本発明を更に具体的に説明すれば、１は伸縮門扉であり、該伸縮門扉１は、断面Ｃ字状にして溝開口を対向して前後平行に配置した一対の中空縦桟２の下端を短尺の連結下桟３によって連結した縦枠１１を、中空縦桟２の上記溝開口を介して多数の中空縦桟２の中空部に伸縮リンク１２をそれぞれ受入軸支して左右幅方向伸縮自在に連結したものとし、その左右幅方向一端を吊元支柱１３に吊支持し、他端の戸当支柱１４との間で開閉自在としたものとしてあり、このとき本例の伸縮門扉１における上記中空縦桟２は、これを、アルミ押出材に切断と切欠加工を施して形成したアルミ製とし且つ上記連結下桟３は、これを、合成樹脂を射出成形することによって形成した合成樹脂製として、該伸縮門扉１をアルミ製のものとしてある。
【００２３】
このとき該縦枠１１にあって、上記連結下桟３は、これを、中空縦桟２の対向面間に介設した中空の連結基部３１と、該連結基部３１の前後側面に中空縦桟２の溝開口端部一対の突条２１を受入れる縦溝３６を介して突設した左右幅方向一対の縦桟嵌合部３２と、該縦桟嵌合部３２間の連結基部３１縦桟対向面に前後突没自在に配置した下向き傾斜の引掛係止片３３と、上記連結基部３１の下端から前後に突出した中空縦桟２の載置閉塞板３４と、該載置閉塞板３４の突出方向先端に起立した位置決め突起３５を備えて形成し、上記中空縦桟２を、上記溝開口端部の一対の突条２１との間で上記連結下桟３の縦桟嵌合部３２を受入区画するようにその中空部内に対向起立した左右一対のリブ２３と、溝開口端部の一対の突条２１の下端近傍を部分的に切欠いて配置した上記連結下桟の引掛係止片３３を受入係止する切欠孔２２を備えて形成してある。
【００２４】
即ち、連結下桟３は、上記合成樹脂を射出成形することによって、上記連結基部３１を中空にして裏面を開口し、該連結基部３１の前後にそれぞれ左右幅方向一対の縦桟嵌合部３２及び載置閉塞板３４を、連結基部３１長手方向中央から対称をなすように一体に配置したものとしてあり、本例にあって連結下桟３の引掛係止片３３は、これを、連結基部３１の前後側面にそれぞれ左右幅方向に一対配置し、また、その載置閉塞板３４に起立した位置決め突起３５は、これを、該載置閉塞板３４の突出方向先端コーナー位置に一対配置してある。
【００２５】
このとき縦桟嵌合部３２は、連結基部３１の前後側面の両端近傍位置から断面Ｓ字状をなすように、細幅の底壁と該底壁から前後側面に平行にその両端側に折曲突出した側壁によって前後側面との間に断面コ字状の縦溝３６を形成し、その先端を中空縦桟２の中空部内に向けて突出することによって壁面をなし且つ上記側壁を下方において厚肉化して、その補強を行なったものとしてある。
【００２６】
引掛係止片３３は、上記連結基部３１における前後側面の上下中間位置において、上記断面コ字状の縦溝３６を画する底壁間に、該前後側面から下向きに並列一対を突出配置するとともにその中空縦桟２側表面を下方に向けて該中空縦桟２側に傾斜突出する傾斜面としてあり、このとき中空基部３１の前後側面は、該引掛係止片３１を配置した上下中間位置より下位を部分的に切欠くことによって、引掛係止片３１の上記傾斜面が下向きの押圧力を受けたとき、前後側面の連結基部３１中空部側に弾発的に没入して該前後側面に対して突没自在のものとしてある。
【００２７】
載置閉塞板３４は、中空縦桟２の下端を受ける受座をなす中空縦桟２形状に沿う矩形リング状にして、本例にあって内部に透孔を設けて樹脂使用量を減少した平面矩形のものとしてあり、その突出方向先端コーナー位置に、例えば２〜３ｍｍ程度の高さに起立し、上端を先細り状とした低突出の突起による位置決め突起３５をそれぞれ配置してあり、該位置決め突起３５の起立高さは、これを、上記中空縦桟２における切欠孔２２の高さと連結下桟３の引掛係止片３３の高さの寸法差より低く形成したものとしてある。
【００２８】
中空縦桟２は、上記断面Ｃ字状にして、本例にあって、その正面壁を、中央を凹陥して左右幅方向両端に上記連結下桟３の位置決め突起３５を受け入れる受入溝２４を配置し、また、その上記左右一対のリブ２３を、中空部の溝開口端部の一対の突条２１の各背面側に位置するように、該突条２１の幅より細い、例えば２〜３ｍｍ程度の幅に低突出して配置してある。このとき、上記一対の突条２１の切欠孔２２は、中空縦桟２の下方位置に、例えばコ字状をなすように該突条２１を部分的に切欠いて配置してあり、このとき該切欠孔２２は、上記連結下桟３の引掛係止片３３の高さに、上記位置決め突起３５の高さを上回る寸法、例えば数ｍｍ、例えば１〜２ｍｍ程度を加えた高さ寸法を有するものとし、また、各引掛係止片３３の幅の１／２〜１／３程度を受入れて、該引掛係止片３３を確実に係止可能な横幅を有するものとしてある。
【００２９】
このように形成した連結下桟３と中空縦桟２は、該中空縦桟２の上記溝開口端部一対の突条２１を連結下桟３の上記縦溝３６に沿ってその縦桟嵌合部３２を該突条２１と上記一対のリブ２３間に圧入嵌合することによって、その溝開口端部一対の突条２１における切欠孔２２に連結下桟３の上記引掛係止片３３をそれぞれ弾発的に係止するとともにその載置閉塞板３４に中空縦桟２下端を載置し且つその位置決め突起３５を中空縦桟２の正面壁の内側に位置決め係合したものとして、伸縮門扉１における多数の縦枠１１を形成するものとしてある。
【００３０】
即ち、連結下桟３は、図示省略の上桟の設置後又は設置前に、平行一対の中空縦桟２に対して、上記縦溝３６に溝開口端部一対の突条２１下端を挿入するとともに該連結下桟３の縦桟嵌合部３２を上記一対の突条２１とリブ２３間に挿入して、該一対の突条２１の切欠孔２２に引掛係止片３３を係止し且つ位置決め突起３５を中空縦桟２の受入溝２４に受入係合すればよく、これによって、連結下桟３は、中空縦桟２の下端に強固且つ確実に固定されて、伸縮門扉１の縦枠１１として、捩れ力が作用しても、その連結強度を確保することができ、また、本例にあっては上記位置決め突起３５の起立高さを上記のように切欠孔２２と引掛係止片３３の高さの差より低く規制したから、中空縦桟２から連結下桟３を幾分押下げて、位置決め突起３５を中空縦桟２から外して、該中空縦桟２を連結下桟３から離すように引けば、その切欠孔２２と引掛係止片３３の係止を解除して、該連結下桟３を容易に取り外すことができる。
【００３１】
図中１５はキャスター、１６は把手をそれぞれ示す。
【００３２】
図示した例は以上のとおりとしたが、例えば、引掛係止片を左右に一連として、一対の突条の係止孔に一体として係止するように形成することを含めて、本発明の実施に当って、縦枠、縦桟、連結下桟、連結基部、縦桟嵌合部、引掛係止片、載置閉塞板、位置決め突起等の各具体的形状、構造、材質、これらの関係、これらに対する付加等は、上記発明の要旨に反しない限り様々な形態のものとすることができる。
【符号の説明】
【００３３】
１  伸縮門扉
１１  縦枠
１２  伸縮リンク
１３  吊元支柱
１４  戸当支柱
１５  キャスター
１６  把手
２  中空縦桟
２１  突条
２２  切欠孔
２３  リブ
２４  受入溝
３  連結下桟
３１  連結基部
３２  縦桟嵌合部
３３  引掛係止片
３４  載置閉塞板
３５  位置決め突起
３６  縦溝
【図１】
2010255209.tif 000003
【図２】
2010255209.tif 000004
【図３】
2010255209.tif 000005
【図４】
2010255209.tif 000006
【図５】
2010255209.tif 000007
【図６】
2010255209.tif 000008
【図７】
2010255209.tif 000009
【図８】
2010255209.tif 000010